(57)【要約】【課題】既存のネット管理構造を保持しつつ動的に追加される機器に対する容易な管理が可能なネットワーク管理装置及び方法を提供する。【解決手段】所定のネットワークに連結された機器のOIDによってMIBの拡張如何を判断する機器連結管理部と、判断結果によってMIBに仮想項目を生成して下位階層に連結された機器によって順次に一連番号を与え、与えられた一連番号を用いてOIDを再指定する仮想のMIB連結部と、を備えるネットワーク管理装置。【選択図】図３
2006135964.tif 000002
【特許請求の範囲】
【請求項１】
所定ネットワークに連結された機器のオブジェクトID(Object  Identifier；以下OIDと称する)によって管理情報ベース(Management  Information  Base；以下MIBと称する）の拡張如何を判断する機器連結管理部と、
前記判断結果によってMIBに仮想の項目を生成して下位階層に前記連結された機器によって順次に一連番号を与え、前記与えられた一連番号を用いて前記OIDを再指定する仮想のMIB連結部と、を備えるネットワーク管理装置。
【請求項２】
前記機器連結管理部は、前記OIDルート値を通じて前記MIB拡張如何を判断する請求項１に記載のネットワーク管理装置。
【請求項３】
前記機器連結管理部は、前記OIDに含まれた前記機器のIPアドレスを通じて前記MIB拡張如何を判断する請求項１に記載のネットワーク管理装置。
【請求項４】
前記仮想のMIB連結部は、前記OIDルート値を前記与えられた一連番号に代える請求項２に記載のネットワーク管理装置。
【請求項５】
前記判断結果によって前記ネットワークに連結された機器のMIBを抽出するMIB抽出部と、前記抽出されたMIBの有効性を検証するMIB解釈部と、前記仮想のMIB連結部により拡張されたMIBを管理するMIB管理部と、をさらに備える請求項４に記載のネットワーク管理装置。
【請求項６】
所定機器のMIBを生成し、前記生成されたMIBに対するOIDを指定するMIB管理部と、
所定のネットワーク連結時、前記指定されたOIDを該当ネットワークを管理する機器に伝送する制御部と、を備えるネットワーク管理装置。
【請求項７】
前記MIB管理部は、前記OID指定時に予め指定されたOIDルート値を用いる請求項６に記載のネットワーク管理装置。
【請求項８】
前記制御部は、前記機器のIPアドレスを含む前記OIDを前記ネットワークを管理する機器に伝送する請求項６に記載のネットワーク管理装置。
【請求項９】
前記制御部は、前記予め指定されたOIDルート値を前記ネットワークを管理する機器に伝送する請求項７に記載のネットワーク管理装置。
【請求項１０】
所定機器のMIBに対するOIDによってMIBの拡張如何を判断する段階と、
前記判断結果によってMIBに仮想項目を生成して下位階層に前記連結された機器によって順次に一連番号を与える段階と、
前記与えられた一連番号を用いて前記OIDを再指定する段階と、を含むネットワーク管理方法。
【請求項１１】
前記MIBの拡張如何を判断する段階は、前記OIDのルート値を通じて前記MIBの拡張如何を判断する請求項１０に記載のネットワーク管理方法。
【請求項１２】
前記MIBの拡張如何を判断する段階は、前記OIDに含まれた前記機器のIPアドレスを通じて前記MIBの拡張如何を判断する請求項１０に記載のネットワーク管理方法。
【請求項１３】
前記OIDを再指定する段階は、
前記機器のMIBを抽出する段階と、
前記抽出されたMIBの有効性を検証する段階と、
前記OIDのルート値を前記与えられた一連番号に代える段階と、を含む請求項１１に記載のネットワーク管理方法。
【請求項１４】
所定機器のMIBを生成し、前記生成されたMIBに対するOIDを指定する段階と、
所定のネットワーク連結時に前記指定されたOIDを、該当ネットワークを管理する機器に伝送する段階と、を含むネットワーク管理方法。
【請求項１５】
前記OIDを指定する段階は、予め指定されたOIDルート値を用いる請求項１４に記載のネットワーク管理方法。
【請求項１６】
前記OIDを指定する段階は、前記機器のIPアドレスを含むOIDを指定する請求項１４に記載のネットワーク管理方法。
【請求項１７】
前記OIDを伝送する段階は、前記予め指定されたOIDルート値を前記ネットワークを管理する機器に伝送する請求項１５に記載のネットワーク管理方法。
【発明の詳細な説明】
【技術分野】
【０００１】
本発明はネットワーク管理装置及び方法に係り、より詳細には、既存のネット管理構造を保持しつつ動的に追加される機器に対する容易な管理が可能であるネットワーク管理装置及び方法に関する。
【背景技術】
【０００２】
ホームネットワークに対する関心と共に、宅内制御技術の発展につれて、宅内網で連結されている機器に対する状態監視及び性能測定などの管理の必要性が増加しつつある。
【０００３】
一般的にネット管理のために使用するSNMP(Simple  Network  Management  Protocol)は、管理しようとする機器の管理情報ベース(Management  Information  Base；以下、MIBと称する)に対する接近及び設定を通じて管理者側システムで管理対象機器に対する分析及び措置を行う構造よりなる。この際、MIBは管理しようとする機器で管理される要素についての情報を含んでいるデータベースである。また、管理される各情報は、オブジェクトと称され、MIBはこのようなオブジェクトの階層的ツリー構造からなっている。
【０００４】
図1は、従来の技術によるネットワーク管理装置が示された図面である。
示されたように、ネット管理システムは、管理しようとする機器に設けられて該当機器から生成及び更新される各情報をMIBの形態に処理するエイジェント20と、エイジェント20が設けられる機器を管理する機器に設けられて管理者にネットワーク状況を見させうるインターフェースを提供し、MIBを通じて管理しようとする機器に対する分析及び措置を行なうマネジャー10を含む。この際、マネジャー10は、get及びgetNext演算を通じて管理しようとする機器から機器の状態及び可動時間などのMIBを得る。
【０００５】
この際、getNextは、MIBが階層的ツリー構造を有するために該当階層より下位階層のMIBを得るのに使われる。また、マネジャー10は、set演算を通じて該当機器のMIBを操作して機器を制御する。
【０００６】
一方、エイジェント20は、マネジャー10のget、getNext及びset演算による応答であるresponse及び該当機器から発生した障害及び故障などの例外的な状況をマネジャー10に通報するtrap演算を行う。
【０００７】
図2は、一般的なMIBの構造を示している。
示されたように、MIBは、MIBの構造を表す客体31(iso、org、dod、internetなど)と実際のMIBを有しているインスタンス化された客体32(1、3、6、1など)である。
【０００８】
管理者は、マネジャー10を通じて該当機器のエイジェント20に所定MIB項目を要請するか、所定のMIB項目の値を新たな値に設定する。この際、管理者は、所定のMIB項目に接近する場合、該当MIB項目にマッピングされるOID(Object  Identifier；以下、OIDと称する)を通じて接近する。このようなOIDは、前述した図2でインスタンス化された客体32の羅列でなされる。例えば、管理者が前述した図2のMIB構造でinternet項目に接近しようとする場合、‘1.3.6.1'のようなOIDを通じて接近する。
【０００９】
このようなMIBは、標準MIBと拡張MIBとに大別される。標準MIB項目は、あらゆる機器に共通で適用される項目であり、拡張MIBは、標準MIB以外に機器を製造する会社の固有MIB項目をいう。MIB項目は、定義時に他のMIB項目とも区別されるOIDを有する。したがって、各会社は、前述した図2のMIB構造でenterprise項目下位に各機器別または用途別MIB項目を拡張し、それによるOIDを別途に与えられる。標準MIB以外に各会社別及び装備別に指定された拡張MIBはIANA(Internet  Assigned  Number  Association)を通じて規定され、かつ公表される。
【００１０】
この際、標準MIBの場合には、あらゆる機器に共通で適用されるために容易に管理できるが、各機器ごとに固有なMIBを有する場合、機器に従属的なMIB構造が異なるために全体機器に対するOIDを管理するか、新たな機器を管理しようとする時、追加されるMIBによる全体OID体系の変更を反映することは、事実上難しい。
【００１１】
また、ホームネットワークのように多様な類型と多数の機器よりなる動的なネットワークの場合にも、各機器に対するMIB標準化及びOID管理は、現実的にホームネットワーク機器に対する管理を難しくする要因となっている。
【００１２】
したがって、既存のネットワーク管理を保持しつつも動的に追加される機器に対するMIBの接近を可能ならしめる方案が要求されている。
【００１３】
特許文献１は、ネットワーク管理装置上で動作するSNMPマネジャーからデータ構造へのアクセス要求に対しては、データ構造を一括して支持する仮想の１台の装置上のエイジェントとして動作して応答することを特徴とするネットワーク管理方法を開示しているが、既存に保持されるネットワークに動的に追加される機器に対して管理し難いという問題点がある。
【特許文献１】特開1999-205320号公報
【発明の開示】
【発明が解決しようとする課題】
【００１４】
本発明は、管理対象となる機器がネットワークに連結された場合、動的にMIBを拡張して該当機器のMIBに容易に接近できるネットワーク管理装置及び方法を提供するところにその目的がある。
【００１５】
本発明の目的は、以上で言及した目的に制限されず、言及されていない他の目的は下の記載から当業者に明確に理解されうる。
【課題を解決するための手段】
【００１６】
前記目的を達成するための本発明の実施形態によるネットワーク管理装置は、所定のネットワークに連結された機器のOIDによってMIBの拡張如何を判断する機器連結管理部と、前記判断結果によってMIBに仮想項目を生成して下位階層に前記連結された機器によって順次に一連番号を与え、前記与えられた一連番号を用いて前記OIDを再指定する仮想のMIB連結部と、を備える。
【００１７】
また、前記目的を達成するための本発明の実施形態によるネットワーク管理方法は、所定機器のMIBに対するOIDによってMIBの拡張如何を判断する段階と、前記判断結果によってMIBに仮想項目を生成して下位階層に前記連結された機器によって順次に一連番号を与える段階と、前記与えられた一連番号を用いて前記OIDを再指定する段階と、を含む。
その他の実施形態の具体的な事項は詳細な説明及び図面に含まれている。
【発明の効果】
【００１８】
本発明のネットワーク管理装置及び方法によれば、次のような効果を１つあるいはそれ以上有する。
第1に、既存のネットワーク管理構造を変更せずに、ネットワークに連結される機器によって動的にMIBを拡張できる。
【００１９】
第2に、ネットワークに連結される機器別MIBに対して先行知識のない場合にも機器連結時に該当機器に対するMIBを獲得して該当機器を管理できる。
【００２０】
第３に、多様な類型と多数の機器を有するホームネットワーク管理における標準MIBを適用しつつも、各機器別OIDを区分して管理するために必要なオーバーヘッドを減少させうる。
【発明を実施するための最良の形態】
【００２１】
本発明の利点及び特徴、そしてこれを達成する方法は添付された図面に基づいて詳細に後述されている実施形態を参照すれば明確になる。しかし、本発明は以下で開示される実施形態に限定されるものではなく、この実施形態から外れて多様な形に具現でき、本明細書で説明する実施形態は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００２２】
以下、添付された図面を参照して本発明の望ましい実施形態を詳細に説明する。
図3は、本発明の実施形態によるネットワーク管理装置を示している。
示されたように、管理しようとする機器のMIBによるOIDのルート(Root)値によって仮想で生成されたMIB項目に該当機器のMIBを拡張するか否かを決定するマネジャー100と、管理しようとする機器に設けられて該当機器のMIBによるOIDのルート値が予め指定された同じ値を有するように設定するエイジェント200とを備えうる。
【００２３】
一般的に、管理者が管理しようとする機器の所定のMIBに接近しようとする場合には、予め指定されたOIDを通じて接近する。この際、管理される機器に指定されるOIDは、該当機器を製造する会社によって別途に指定され、会社のモデル及び類型によるあらゆる機器に対して相異なるOIDが指定される。言い換えれば、各機器のOIDを何れも参照して互いに重畳されないOIDを指定することである。
【００２４】
本発明の実施形態において、管理しようとする機器は、他の機器とのOIDの重畳如何を確認せず、事前に指定された同じOIDルート値を有するように生成されうる。これは、マネジャー100が、前述した図2のMIB構造で各会社別に割り当てられた項目であるprivate項目の下位に仮想でvirtual項目を生成し、管理しようとする機器の連結順序によってvirtual項目の下位に順次に一連番号を与えるためである。この際、管理者が管理しようとする機器のOIDルート値はマネジャー100により与えられた一連番号に置き換えられ、マネジャー100は置き換えられたルート値を有するOIDを生成しうる。
【００２５】
したがって、本発明の実施形態において管理者が管理しようとする機器が同じOID体系を有する場合にも、マネジャー100により与えられる一連の番号により区分されるためにMIBに対するOID生成時、他の機器との重畳如何を確認する必要がなくなる。
【００２６】
エイジェント200は、該当機器のMIBを生成し、生成されたMIBに対するOIDを指定するMIB管理部210と、マネジャー100からの呼び出しに対する応答をマネジャー100に伝送する制御部220と、制御部220により制御されて生成されたMIBの変動事項を処理して管理するMIB処理部230を含みうる。
【００２７】
MIB管理部210は、該当機器のOIDルート値をあらゆる機器に共通で適用しうる値に指定しうる。本発明の実施形態では、ルート値として‘1’が使われた場合を例として説明しているが、このようなルート値はネットワーク環境によって変更されうる。また、MIB管理部210は、ルート値の下位値を再び‘1'から一連の順序によって与えうる。言い換えれば、本発明の実施形態によるMIB管理部210は、ルート値から各階層によって‘1'から始まる一連番号を順次に与えうる。
【００２８】
このとき、MIB管理部210により生成されるMIBは、前述した図2のように階層的ツリー構造を有するようになり、各MIB項目はOID、ネーム(Name)、デスクリプション(Description)、データ類型(Data  type)及び該当する項目値(Value)などの情報を含みうる。ここで、OIDは該当項目のオブジェクトID、ネームは該当MIB項目名、デスクリプションは該当項目の機能及び役割についての説明、データ類型は該当項目が有するデータ類型(例えば、下位項目を有する項目はデータ類型として‘node'と指定され、下位項目を有していない項目はデータ類型として‘leaf'と指定される)、項目値は該当MIB項目が有する実際値を意味する。
【００２９】
制御部220は、マネジャー100からの呼び出しに応答する機能を行い、所定のMIB項目値に対する変更または更新などの作業を行うためのメッセージをマネジャー100と送受信できる。また、制御部220は、該当機器が所定のネットワークに連結された場合、マネジャー100との通信のためにブロードキャスティング(Broad  casting)またはマルチキャスティング(Multi  casting)などを通じて自身が連結されたことが分かる。この際、制御部220は、該当機器のOIDルート値をマネジャー100に伝送する。
【００３０】
一方、マネジャー100が該当機器のOIDルート値によって仮想で生成された項目に順次に一連番号を与えない場合、制御部220は該当機器のOIDに自身のIPアドレスを付加してマネジャー100に伝送する。具体的に、マネジャー100が制御部220から伝送されたOIDルート値によって仮想で生成された項目に順次に一連番号を与え、与えられた一連番号にルート値を代替する機能がない場合、マネジャー100が該当機器のIPアドレスを通じて機器を区別する。
【００３１】
例えば、管理しようとする機器のIPアドレスがwww.xxx.yyy.zzzであり、OIDが1.2.3.4である場合、マネジャー100に伝送されるOIDはwww.xxx.yyy.zzz.1.2.3.4となる。
【００３２】
MIB処理部230は、制御部220の制御により該当機器のMIB値が変更されるか、更新される場合、実際的な処理を担当して管理する機能を行う。言い換えれば、マネジャー100から指定された所定のMIB項目の要請時、該当MIB項目値を返還し、所定のMIB項目値を新たな値に設定する作業を行える。
【００３３】
一方、マネジャー100は、管理しようとする機器が新たに連結されたか否かを判断し、連結する機器によるMIBの拡張如何を判断する機器連結管理部110と、管理しようとする機器からMIBを抽出するMIB抽出部120と、抽出されたMIBの有効性を判断するMIB解釈部130と、機器連結管理部110の判断結果によって仮想のMIB項目に抽出されたMIBを拡張する仮想のMIB連結部140と、仮想のMIB連結部140により拡張されたMIBを含む全体MIB構造を管理するMIB情報管理部150とを備えうる。
【００３４】
機器連結管理部110は、所定のネットワークに連結された機器の目録を管理し、エイジェント200によるマネジャー100の検索メッセージに対する応答メッセージを伝達しうる。この際、新たに連結された機器が存在する場合、仮想のMIB連結部140を制御して連結された機器に順次に一連番号を与える。具体的に、新たな機器がネットワークに連結された場合、該当機器の制御部220は自身がネットワークに連結されたことを知らせると同時に、該当機器のOIDルート値を伝送する。この際、機器連結管理部110は伝送されたルート値が事前に指定されたルート値である場合、仮想で生成された項目に一連番号を与え、該当機器のOIDルート値を与えられた一連番号を代替してMIBを拡張する。
【００３５】
一方、機器連結管理部110は新たに連結された機器のOIDルート値を通じてMIBを拡張する機能が存在していない場合、制御部220からIPアドレスが付加されて伝送されたOIDを通じて機器を区別できる。
【００３６】
MIB抽出部120は、エイジェント200のMIB管理部210から該当機器のMIB情報を抽出し、MIB解釈部130は抽出されたMIBの各項目の有効性を検証できる。例えば、MIB解釈部130は指定されたデータ類型に符合する値の存否、ネーム及びデスクリプションの定義如何、及びOIDの存否などを通じてMIBの各項目に対する有効性を検証しうる。
【００３７】
仮想のMIB連結部140は、既存のMIBに仮想項目を生成し、機器連結管理部110の判断結果、新たな機器が連結された場合、連結順序によって所定の一連番号を順次に与えうる。例えば、所定の機器が連結される順序によって前述したprivate項目下位に仮想でvirtual項目を生成し、1、2、3のように順次に一連番号を与え、与えられた一連番号で伝送された機器のOIDルート値を代替することができる。
【００３８】
具体的に、仮想のMIB連結部140は、該当ネットワークに所定の機器が新たに連結された場合、図4に示されたように、前述した図2のMIB構造でprivate項目下位にvirtual項目300を仮想で生成しうる。
【００３９】
また、既存のMIB構造に機器A  310、機器B  320及び機器C  330が連結された場合、図5に示されたように、仮想のMIB連結部140は各機器別にvirtual項目300の下位に順次に1、2、3の一連番号を与える。この際、仮想のMIB連結部140は、各機器のOIDルート値を与えられた一連番号に代替しうる。
【００４０】
したがって、機器A  310のOIDである1.3.1は1.3.6.1.4.10.1.3.1に変更され、機器B  320のOIDである1.1.2は1.3.6.1.4.10.2.1.2に変更され、機器C  330のOIDである1.2.1.1.2は、1.3.6.1.4.10.3.2.1.1.2に変更される。既存のMIB構造で1.3.6.1.4.10まではあらゆる機器に共通適用されるために仮想のMIB連結部140は1.3.6.1.4.10以後から各機器別OIDを付加する。この際、機器A  310の1.3.1で最も前の番号である1は仮想のMIB管理部140により与えられた一連番号1に代替され、機器B  320の1.1.2で最も前の番号の1は仮想のMIB連結部140により与えられた一連番号である2に代替され、機器C  330の1.2.1.1.2で最も前の番号である1は仮想のMIB連結部140により与えられた一連番号である3に代替される。したがって、各機器は、他の機器とOIDとが重畳されているか否かを確認せず、OIDルート値を予め指定された‘1'に指定すれば、マネジャー100は指定されたルート値を確認して仮想で生成された項目に順次に一連番号を与え、与えられた一連番号にルート値を代替して各機器間のOID重畳を避けることができる。
【００４１】
MIB情報管理部150は、既存のMIB構造情報と共に仮想で生成された項目に新たに連結されたMIB構造情報を一括処理できる。管理者はMIB情報管理部150により処理されたMIB構造を通じてOIDを把握でき、把握されたOIDを通じてエイジェント200のMIBに接近しうる。
【００４２】
以下、前述したように構成された本発明の実施形態によるネットワーク管理装置を用いたネットワーク管理方法を説明する。
図6は、本発明の実施形態によるエイジェント200が該当機器のMIBに対するOIDを生成する方法が示された図面である。
示されたように、まずMIB管理部210は該当機器に対するMIBを生成し(S110)、生成されたMIBに対するOIDを指定する(S120)。この際、MIB管理部210はOID指定時に予め指定されたOIDルート値を使用する。本発明の実施形態では、予め指定されたOIDルート値として‘1’を使用する場合を例として説明しているが、これに限定されない。
【００４３】
このようなOIDルート値は、マネジャー100が該当機器のOIDルート値を通じて仮想で生成された項目に該当機器のOIDを付加するか否かを判断する場合に使われる。一方、MIB管理部210はマネジャー100がOIDルート値を通じて仮想で生成された項目に該当機器のOIDを付加する機能が存在していない場合、自身のIPアドレスを付加しうる。これはマネジャー100が該当機器のIPアドレスを通じて各機器を区別可能にするためである。
【００４４】
次いで、エイジェント200が設けられた機器が所定のネットワークに連結された場合(S130)、制御部220は自身がネットワークに連結されたことを知らせると同時に、該当機器のOIDルート値を当該ネットワークのマネジャー100に伝送する(S140)。
【００４５】
図7は、前述した図6の方法を通じて生成されたOIDを既存のMIBに追加する方法が示された図面である。
示されたように、機器連結管理部110は該当ネットワークに新たに連結された機器の制御部220からOIDルート値が伝送されれば(S210)、伝送されたOIDルート値を通じてMIBの拡張如何を判断する(S220)。この際、OIDルート値が予め指定された値である場合、MIBを拡張すると判断し、そうでない場合には、MIBを拡張しなくなる。例えば、OIDルート値が‘1'である場合、MIBを拡張すると判断しうる。
【００４６】
判断の結果、該当機器のOIDルート値が予め指定された値である場合、機器連結管理部110は仮想のMIB連結部140を制御して既存のMIB構造に仮想項目を生成し(S230)、生成された仮想項目の下位に連結された機器の順序によって順次に一連番号を与える(S240)。
【００４７】
次いで、機器連結管理部110はMIB抽出部120を制御して該当機器のMIBを抽出する(S250)。この際、MIBが抽出されると同時に、MIBに対するOIDも共に抽出されうる。
MIB解釈部130は、抽出されたMIBが有効であるか否かを検証する(S260)。この際、抽出されたMIBの有効検証は、指定されたデータ類型に符合する値の存否、ネーム及びデスクリプションの定義如何及びOIDの存否などを通じてなされうる。
【００４８】
抽出されたMIBが有効である場合、仮想のMIB連結部140は該当機器のOIDのルート値を仮想項目に与えられた一連番号に代える(S270)。また、仮想のMIB連結部140は、代替された一連番号を該当機器のOIDルート値とするOIDを再指定する(S280)。
【００４９】
次いで、既存にMIBツリーに新たに連結された機器のOIDを通じてMIBを拡張し、拡張されたMIBをMIB情報管理部150が管理する(S290)。
したがって、マネジャー100は、MIB情報管理部150により管理されるMIBのOIDを通じて該当機器の所定のMIB項目に接近できる。
【００５０】
一方、マネジャー100がOIDルート値によって仮想項目に該当機器のMIBを拡張する機能が支援されない場合、マネジャー100はエイジェント200から自身のIPアドレスが付加されたOIDを伝送される。
【００５１】
この際、マネジャー100は伝送されたOIDに付加されたIPアドレスを通じて各機器を区別し、IPアドレスが付加されたOIDを通じてMIBを拡張する。
【００５２】
以上、本発明を例示された図面を参照として説明したが、本発明は本明細書に開示された実施形態及び図面によって限定されるものではなく、その発明の技術思想範囲内で当業者により多様に変形可能であることはいうまでもない。
【産業上の利用可能性】
【００５３】
本発明は、ネットワーク管理装置及び方法に関連した技術分野に好適に適用されうる。
【図面の簡単な説明】
【００５４】
【図１】従来の技術によるネットワーク管理装置が示された図面である。
【図２】一般的なMIB構造が示された図面である。
【図３】本発明の実施形態によるネットワーク管理装置が示された図面である。
【図４】本発明の実施形態によって仮想で生成されたMIB項目を含むMIB構造が示された図面である。
【図５】本発明の実施形態によって指定される各機器別OIDのルート値に代替する仮想項目の一連番号が示された図面である。
【図６】本発明の実施形態による機器のMIB情報を生成する方法が示された図面である。
【図７】本発明の実施形態によってネットワークに連結される機器によって動的にMIBを拡張する方法が示された図面である。
【符号の説明】
【００５５】
100    マネジャー
110    機器連結管理部
120    MIB抽出部
130    MIB解釈部
140    仮想のMIB連結部
150    MIB情報管理部
200    エイジェント
210    MIB管理部
220    制御部
230    MIB処理部
【図１】
2006135964.tif 000003
【図２】
2006135964.tif 000004
【図３】
2006135964.tif 000005
【図４】
2006135964.tif 000006
【図５】
2006135964.tif 000007
【図６】
2006135964.tif 000008
【図７】
2006135964.tif 000009